(57)【特許請求の範囲】
【請求項１】
複数の基地局を備え、各基地局が制御スロットの割当が許可されているいずれかの無線スロットに制御スロットを割当てるように構成されてなる無線通信システムにおける基地局を起動する方法において、
任意の基地局が放射する電波の到達範囲の大きさに略等しい大きさの領域を１ブロックとして設定することにより、無線通信システムの物理的な領域を仮想的に多数のブロックに分割するブロック分割処理と、
前記各基地局がいずれのブロックに属するかを識別するブロック識別処理と、
所定の基地局が制御スロットを割当てることが可能な無線スロットを検索し、いずれかの無線スロットに制御スロットを割当てる制御スロット割当処理と、
前記所定の基地局が制御スロットを割当てた無線スロットのスロット位置を検出する制御スロット位置検出処理と、
前記所定の基地局が制御スロットを割当てた無線スロットのスロット位置と、当該所定の基地局が属するブロックあるいは当該所定の基地局が属するブロックと隣接するブロックに属する基地局が制御スロットを割当てた無線スロットのスロット位置とが時系列的に重複しているか否かを判定する制御スロット位置重複判定処理と、
前記所定の基地局が制御スロットを割当てた無線スロットのスロット位置と、当該所定の基地局が属するブロックあるいは当該所定の基地局が属するブロックと隣接するブロックに属する基地局が制御スロットを割当てた無線スロットのスロット位置とが時系列的に重複していることを条件として、前記所定の基地局が制御スロットを割当てることが可能な無線スロットを再度検索し、前記制御スロット割当処理において制御スロットを割当てた無線スロットとは異なるスロット位置の無線スロットに制御スロットを割当てる制御スロット再割当処理とを、
順次実行することを特徴とする無線通信システムにおける基地局の起動方法。
【請求項２】
前記ブロック分割処理は、任意の基地局が放射する電波の到達範囲の大きさに略等しい大きさの領域を二次元的に１ブロックとして設定することにより、無線通信システムの物理的な領域を仮想的に二次元的に多数のブロックに分割することを特徴とする請求項１記載の無線通信システムにおける基地局の起動方法。
【請求項３】
前記ブロック分割処理は、任意の基地局が放射する電波の到達範囲の大きさに略等しい大きさの領域を三次元的に１ブロックとして設定することにより、無線通信システムの物理的な領域を仮想的に三次元的に多数のブロックに分割することを特徴とする請求項１記載の無線通信システムにおける基地局の起動方法。
【請求項４】
前記無線通信システムは、ＰＨＳ通信システムであることを特徴とする請求項１ないし３のいずれかに記載の無線通信システムにおける基地局の起動方法。
【発明の詳細な説明】
【０００１】
【発明の属する技術分野】
本発明は、複数の基地局を備え、各基地局が制御スロットの割当が許可されているいずれかの無線スロットに制御スロットを割当てるように構成されてなる無線通信システムにおける基地局を起動する方法に関する。
【０００２】
【発明が解決しようとする課題】
近年、無線通信システムが広く普及しており、その一つとして、ＰＨＳ（Personal Handyphone System）を利用したＰＨＳ通信システムが普及している。ところで、この場合、保守端末が複数の基地局（ＣＳ：Cell Station）に制御スロット割当指令を送信するように構成されてなるＰＨＳ通信システムでは、制御スロット割当指令を受信した基地局は、自己を除く他の基地局が放射した電波を捕捉することにより、他の基地局が制御スロットを割当てた無線スロットのスロット位置を認識すると共に、制御スロットを割当てることが可能な無線スロットを検索し、他の基地局が制御スロットを割当てた無線スロットのスロット位置と時系列的に重複しないスロット位置の無線スロットに制御スロットを割当てることにより、他の基地局との間でエアー同期を確立するようになっている。
【０００３】
具体的に、図１０を参照して説明する。尚、図１０では、各基地局(A) １〜基地局(C) ３が放射する電波の到達範囲は、それぞれ二点鎖線ａ〜ｃに示す範囲であると仮定する。
まず、保守端末（図示せず）が基地局(A) １に制御スロット割当指令を送信すると、制御スロット割当指令を受信した基地局(A) １は、制御スロットを割当てることが可能な無線スロットを検索し、いずれかの無線スロットに制御スロットを割当てるようになる。
【０００４】
次いで、保守端末が基地局(B) ２に制御スロット割当指令を送信すると、制御スロット割当指令を受信した基地局(B) ２は、基地局(A) １が放射した電波を捕捉することにより、基地局(A) １が制御スロットを割当てた無線スロットのスロット位置を認識すると共に、制御スロットを割当てることが可能な無線スロットを検索し、基地局(A) １が制御スロットを割当てた無線スロットのスロット位置と時系列的に重複しないスロット位置の無線スロットに制御スロットを割当てるようになる。
【０００５】
ところが、次いで、保守端末が基地局(C) ３に制御スロット割当指令を送信すると、制御スロット割当指令を受信した基地局(C) ３は、基地局(A) １が放射した電波や基地局(B) ２が放射した電波を捕捉することが不可能であるので、基地局(A) １が制御スロットを割当てた無線スロットのスロット位置や基地局(B) ２が制御スロットを割当てた無線スロットのスロット位置を認識することができない。そのため、基地局(C) ３は、基地局(A) １が制御スロットを割当てた無線スロットのスロット位置や基地局(B) ２が制御スロットを割当てた無線スロットのスロット位置とは関係なく、制御スロットを割当てることが可能な無線スロットを検索し、いずれかの無線スロットに制御スロットを割当てるようになる。
【０００６】
したがって、基地局(C) ３は、基地局(A) １が制御スロットを割当てた無線スロットのスロット位置や基地局(B) ２が制御スロットを割当てた無線スロットのスロット位置と時系列的に重複するスロット位置の無線スロットに制御スロットを割当ててしまう虞がある。つまり、基地局(C) ３が制御スロットを割当てた無線スロットのスロット位置と、基地局(A) １が制御スロットを割当てた無線スロットのスロット位置や基地局(B) ２が制御スロットを割当てた無線スロットのスロット位置とが重複してしまう虞がある。
【０００７】
さて、ここで、仮に基地局(C) ３が制御スロットを割当てた無線スロットのスロット位置と、基地局(B) ２が制御スロットを割当てた無線スロットのスロット位置とが重複してしまった場合を想定すると、この場合には、基地局(C) ３が放射する電波の到達範囲（図１０中、二点鎖線ｃにて示す範囲）と、基地局(B) ２が放射する電波の到達範囲（図１０中、二点鎖線ｂにて示す範囲）とが重なることはないので、特に問題が発生することはない。
【０００８】
しかしながら、仮に基地局(C) ３が制御スロットを割当てた無線スロットのスロット位置と、基地局(A) １が制御スロットを割当てた無線スロットのスロット位置とが重複してしまった場合を想定すると、この場合には、基地局(C) ３が放射する電波の到達範囲と、基地局(A) １が放射する電波の到達範囲（図１０中、二点鎖線ａにて示す範囲）とが重なるので、それら２つの電波の到達範囲が重なる領域（図１０中、斜線を付している領域）では、基地局(C) ３が放射する電波と、基地局(A) １が放射する電波とが干渉することになる。
【０００９】
そのため、そのような状態でＰＨＳ通信システムを運用すると、２つの電波の到達範囲が重なる領域では、２つの電波が干渉することになり、それに起因して、移動局（ＰＳ：Personal Station）において、着信失敗、ハンドオーバ失敗あるいは通話切断などの種々の障害が発生する虞があることになる。
【００１０】
本発明は、上記した事情に鑑みてなされたものであり、その目的は、無線通信システムを運用するに際して、着信失敗、ハンドオーバ失敗あるいは通話切断などの種々の障害が発生する虞を減らすことができる基地局の起動方法を提供することにある。
【００１１】
【課題を解決するための手段】
請求項１記載の無線通信システムにおける基地局の起動方法によれば、まず、ブロック分割処理を実行し、任意の基地局が放射する電波の到達範囲の大きさに略等しい大きさの領域を１ブロックとして設定することにより、無線通信システムの物理的な領域を仮想的に多数のブロックに分割する。そして、ブロック識別処理を実行し、各基地局がいずれのブロックに属するかを識別する。
【００１２】
次いで、制御スロット割当処理を実行し、所定の基地局が制御スロットを割当てることが可能な無線スロットを検索し、いずれかの無線スロットに制御スロットを割当てる。そして、制御スロット位置検出処理を実行し、所定の基地局が制御スロットを割当てた無線スロットのスロット位置を検出する。
【００１３】
次いで、制御スロット位置重複判定処理を実行し、所定の基地局が制御スロットを割当てた無線スロットのスロット位置と、当該所定の基地局が属するブロックあるいは当該所定の基地局が属するブロックと隣接するブロックに属する基地局が制御スロットを割当てた無線スロットのスロット位置とが時系列的に重複しているか否かを判定する。
【００１４】
そして、それらが重複していることを条件として、制御スロット再割当処理を実行し、所定の基地局が制御スロットを割当てることが可能な無線スロットを再度検索し、制御スロット割当処理において制御スロットを割当てた無線スロットとは異なるスロット位置の無線スロットに制御スロットを割当てる。
【００１５】
すなわち、この方法によれば、所定の基地局が制御スロットを割当てた無線スロットのスロット位置と、当該所定の基地局が属するブロックあるいは当該所定の基地局が属するブロックと隣接するブロックに属する基地局が制御スロットを割当てた無線スロットのスロット位置とが時系列的に重複している場合には、所定の基地局が制御スロットを割当てることが可能な無線スロットを再度検索し、これよりも以前に制御スロットを割当てた無線スロットとは異なるスロット位置の無線スロットに制御スロットを割当てるようになる。
【００１６】
したがって、任意の基地局が放射する電波の到達範囲の大きさに略等しい大きさの領域を１ブロックとして設定していることから、電波の到達範囲が重なる位置関係にある基地局同士については、それらが制御スロットを割当てる無線スロットのスロット位置が時系列的に重複することはなくなり、これにより、無線通信システムを運用するに際して、着信失敗、ハンドオーバ失敗あるいは通話切断などの種々の障害が発生する虞を減らすことができる。
【００１７】
請求項２記載の無線通信システムにおける基地局の起動方法によれば、ブロック分割処理として、任意の基地局が放射する電波の到達範囲の大きさに略等しい大きさの領域を二次元的に１ブロックとして設定することにより、無線通信システムの物理的な領域を仮想的に二次元的に多数のブロックに分割する。
【００１８】
すなわち、この方法によれば、例えば各基地局が１つのフロアーに集中されて設置されているなど、二次元的（平面的）に構築されている無線通信システムにおいて、その無線通信システムを運用するに際して、着信失敗、ハンドオーバ失敗あるいは通話切断などの種々の障害が発生する虞を減らすことができる。
【００１９】
請求項３記載の無線通信システムにおける基地局の起動方法によれば、ブロック分割処理として、任意の基地局が放射する電波の到達範囲の大きさに略等しい大きさの領域を三次元的に１ブロックとして設定することにより、無線通信システムの物理的な領域を仮想的に三次元的に多数のブロックに分割する。
【００２０】
すなわち、この方法によれば、例えば各基地局が複数のフロアーに分散されて設置されているなど、三次元的（立体的）に構築されている無線通信システムにおいて、その無線通信システムを運用するに際して、着信失敗、ハンドオーバ失敗あるいは通話切断などの種々の障害が発生する虞を減らすことができる。
【００２１】
請求項４記載の無線通信システムにおける基地局の起動方法によれば、ＰＨＳ通信システムにおいて、そのＰＨＳ通信システムを運用するに際して、着信失敗、ハンドオーバ失敗あるいは通話切断などの種々の障害が発生する虞を減らすことができる。
【００２２】
【発明の実施の形態】
以下、本発明を事業所用のＰＨＳ通信システムにおける基地局の起動方法に適用した一実施例について、図１〜図９を参照して説明する。
まず、図２は、事業所用のＰＨＳ通信システムの構成図を概略的に示している。図２において、構内交換機（ＰＢＸ：Private Branch eXchange ）１１は、ＰＨＳ交換装置１２を接続している。ＰＨＳ交換装置１２は、基地局(A) １３，基地局(B) １４，基地局(C) １５，基地局(D) １６，基地局(E) １７および基地局(F) １８の６局の基地局を接続している。
【００２３】
そして、保守端末１９は、上記ＰＨＳ交換装置１２を接続しており、ＰＨＳ交換装置１２を通じて各基地局(A) １３〜基地局(F) １８を保守することが可能になっている。尚、これら基地局(A) １３〜基地局(F) １８は、物理的には、図３に示すような位置関係により設置されていると仮定し、各基地局(A) １３〜基地局(F) １８が放射する電波の到達範囲は、それぞれ二点鎖線ａ〜ｆに示す範囲であると仮定する。
【００２４】
次に、上記した構成の作用について、図１、図４〜図９も参照して説明する。
ＰＨＳ通信システムとしては、各基地局(A) １３〜基地局(F) １８を所定の起動順序にしたがって順次起動する基地局起動処理を実行するに先立って、各基地局(A) １３〜基地局(F) １８がいずれのブロックに属するかを示すブロック識別表を作成するブロック識別表作成処理を実行する。最初に、ブロック識別表作成処理について、図４に示すフローチャートを参照して説明する。
【００２５】
まず、保守端末１９は、ＰＨＳ通信システムの物理的な領域を、図５に示すように、仮想的に格子状に多数のブロックに分割する（ステップＳ１）。ここで、保守端末１９は、各ブロックの物理的な大きさを、各基地局(A) １３〜基地局(F) １８が放射する電波の到達範囲の大きさに略等しい大きさに設定している。
【００２６】
次いで、保守端末１９は、例えば東西南北の東西方向（図５中左右方向）および南北方向（図５中上下方向）をそれぞれ２進法の４ビットで表記することにより、各ブロックのアドレスを決定する（ステップＳ２）。そして、保守端末１９は、各基地局(A) １３〜基地局(F) １８がいずれのブロックに属するかを識別することにより、各基地局(A) １３〜基地局(F) １８がいずれのブロックに属するかを示すブロック識別表を作成する（ステップＳ３）。
【００２７】
具体的には、保守端末１９は、基地局(A) １３が「００１１−００１０」ブロックに属すると識別し、基地局(B) １４が「００１０−００１０」ブロックに属すると識別し、基地局(C) １５が「０００１−００１０」ブロックに属すると識別し、基地局(D) １６が「００１０−０００１」ブロックに属すると識別し、基地局(E) １７が「００１１−００１１」ブロックに属すると識別し、基地局(F) １８が「０１００−０１００」ブロックに属すると識別することにより、図６に示すようなブロック識別表を作成する。
【００２８】
そして、保守端末１９は、このようにしてブロック識別表作成処理を実行したことにより、ブロック識別表を作成した上で、基地局起動処理を実行する。次に、基地局起動処理について、図１に示すフローチャートを参照して説明する。◎保守端末１９は、各基地局(A) １３〜基地局(F) １８のうちの例えば基地局(A) １３を最初（１番目）に起動する基地局として決定すると、基地局(A) １３に制御スロット割当指令を送信する（ステップＳ１１）。
【００２９】
基地局(A) １３は、制御スロット割当指令を受信すると、ここでは、基地局(A) １３が最初に起動する基地局であり、基地局(A) １３を除く他の基地局が起動していなく、基地局(A) １３を除く他の基地局が電波を放射していないので、制御スロットを割当てる無線スロットを検索し（ステップＳ１２）、いずれかの無線スロットに制御スロットを割当てる（ステップＳ１３）。ここでは、具体的には、基地局(A) １３は、フレーム番号１，スロット番号１のスロット位置の無線スロットに制御スロットを割当てたと仮定する（図７参照）。
【００３０】
次いで、基地局(A) １３は、自己がフレーム番号１，スロット番号１のスロット位置の無線スロットに制御スロットを割当てたことを示す制御スロット割当通知を保守端末１９に送信する（ステップＳ１４）。
【００３１】
保守端末１９は、制御スロット割当通知を受信すると、受信した制御スロット割当通知を識別することにより、制御スロット割当通知を送信した基地局が制御スロットを割当てた無線スロットのスロット位置を認識する。ここでは、具体的には、保守端末１９は、基地局(A) １３がフレーム番号１，スロット番号１のスロット位置の無線スロットに制御スロットを割当てたことを認識する（ステップＳ１５）。
【００３２】
次いで、保守端末１９は、制御スロット割当表（詳しくは後述する）および上記したブロック識別表作成処理を実行して作成したブロック識別表を参照することにより、制御スロット割当通知を送信した基地局が制御スロットを割当てた無線スロットのスロット位置と、当該基地局が属するブロックあるいは当該基地局と隣接するブロックに属する他の基地局が制御スロットを割当てた無線スロットのスロット位置とが時系列的に重複しているか否かを判定する（ステップＳ１６）。
【００３３】
ここでは、具体的には、保守端末１９は、基地局(A) １３が最初に起動する基地局であり、基地局(A) １３が最初に制御スロットを割当てた基地局であるので、ステップＳ１６において「ＮＯ」と判定する。
【００３４】
そして、保守端末１９は、基地局(A) １３がフレーム番号１，スロット番号１のスロット位置の無線スロットに制御スロットを割当てたことを示す制御スロット割当情報を制御スロット割当表に記述し、制御スロット割当表を図８（ａ）に示すように作成する（ステップＳ１７）。
【００３５】
次いで、保守端末１９は、各基地局(A) １３〜基地局(F) １８のうちの例えば基地局(B) １４を２番目に起動する基地局として決定すると、基地局(B) １４に制御スロット割当指令を送信する（ステップＳ１１）。
基地局(B) １４は、制御スロット割当指令を受信すると、上記した基地局(A) １３が実行した処理と同様の処理を実行する（ステップＳ１２〜Ｓ１４）。
【００３６】
さて、ここで、基地局(B) １４がフレーム番号２，スロット番号４のスロット位置の無線スロットに制御スロットを割当てたと仮定すると（図７参照）、保守端末１９は、基地局(B) １４がフレーム番号２，スロット番号４のスロット位置の無線スロットに制御スロットを割当てたことを認識する（ステップＳ１５）。
【００３７】
そして、保守端末１９は、制御スロット割当表およびブロック識別表を参照することにより、基地局(B) １４が制御スロットを割当てた無線スロットのスロット位置と、基地局(B) １４が属するブロックあるいは当該基地局(B) １４と隣接するブロックに属する他の基地局が制御スロットを割当てた無線スロットのスロット位置とが時系列的に重複しているか否かを判定する（ステップＳ１６）。
【００３８】
ここでは、基地局(B) １４が制御スロットを割当てた無線スロットのスロット位置と、これよりも以前に基地局(A) １３が制御スロットを割当てた無線スロットのスロット位置とが重複していないので、保守端末１９は、ステップＳ１６において「ＮＯ」と判定する。
【００３９】
そして、保守端末１９は、基地局(B) １４がフレーム番号２，スロット番号４のスロット位置の無線スロットに制御スロットを割当てたことを示す制御スロット割当情報を制御スロット割当表に追加して記述し、制御スロット割当表を図８（ｂ）に示すように更新する（ステップＳ１７）。
【００４０】
次いで、保守端末１９は、各基地局(A) １３〜基地局(F) １８のうちの例えば基地局(C) １５を３番目に起動する基地局として決定すると、基地局(C) １５に制御スロット割当指令を送信する（ステップＳ１１）。
基地局(C) １５は、制御スロット割当指令を受信すると、上記した基地局(A) １３および基地局(B) １４が実行した処理と同様の処理を実行する（ステップＳ１２〜Ｓ１４）。
【００４１】
さて、ここで、基地局(C) １５がフレーム番号１，スロット番号１のスロット位置の無線スロットに制御スロットを割当てたと仮定すると（図７参照）、保守端末１９は、基地局(C) １５がフレーム番号１，スロット番号１のスロット位置の無線スロットに制御スロットを割当てたことを認識する（ステップＳ１５）。
【００４２】
そして、保守端末１９は、制御スロット割当表およびブロック識別表を参照することにより、基地局(C) １５が制御スロットを割当てた無線スロットのスロット位置と、基地局(C) １５が属するブロックあるいは当該基地局(C) １５と隣接するブロックに属する他の基地局が制御スロットを割当てた無線スロットのスロット位置とが時系列的に重複しているか否かを判定する（ステップＳ１６）。
【００４３】
ここでは、基地局(C) １５が制御スロットを割当てた無線スロットのスロット位置と、これよりも以前に基地局(A) １３が制御スロットを割当てた無線スロットのスロット位置とが重複しているものの、基地局(C) １５が属するブロックと、基地局(A) １３が属するブロックとが隣接していなく、つまり、基地局(C) １５が放射する電波の到達範囲（図３，図５中、二点鎖線ｃにて示す範囲）と、基地局(A) １３が放射する電波の到達範囲（図３，図５中、二点鎖線ａにて示す範囲）とが重なることはないので、保守端末１９は、ステップＳ１６において「ＮＯ」と判定する。
【００４４】
そして、保守端末１９は、基地局(C) １５がフレーム番号１，スロット番号１のスロット位置の無線スロットに制御スロットを割当てたことを示す制御スロット割当情報を制御スロット割当表に追加して記述し、制御スロット割当表を図８（ｃ）に示すように更新する（ステップＳ１７）。
【００４５】
次いで、保守端末１９は、各基地局(A) １３〜基地局(F) １８のうちの例えば基地局(D) １６を４番目に起動する基地局として決定すると、基地局(D) １６に制御スロット割当指令を送信する（ステップＳ１１）。
基地局(D) １６は、制御スロット割当指令を受信すると、上記した基地局(A) １３、基地局(B) １４および基地局(C) １５が実行した処理と同様の処理を実行する（ステップＳ１２〜Ｓ１４）。
【００４６】
さて、ここで、基地局(D) １６がフレーム番号２，スロット番号４のスロット位置の無線スロットに制御スロットを割当てたと仮定すると（図７参照）、保守端末１９は、基地局(D) １６がフレーム番号２，スロット番号４のスロット位置の無線スロットに制御スロットを割当てたことを認識する（ステップＳ１５）。
【００４７】
そして、保守端末１９は、制御スロット割当表およびブロック識別表を参照することにより、基地局(D) １６が制御スロットを割当てた無線スロットのスロット位置と、基地局(D) １６が属するブロックあるいは当該基地局(D) １６と隣接するブロックに属する他の基地局が制御スロットを割当てた無線スロットのスロット位置とが時系列的に重複しているか否かを判定する（ステップＳ１６）。
【００４８】
ここでは、基地局(D) １６が制御スロットを割当てた無線スロットのスロット位置と、これよりも以前に基地局(B) １４が制御スロットを割当てた無線スロットのスロット位置とが重複しており、しかも、基地局(D) １６が属するブロックと、基地局(B) １４が属するブロックとが隣接しており、つまり、基地局(D) １６が放射する電波の到達範囲（図３，図５中、二点鎖線ｄにて示す範囲）と、基地局(B) １４が放射する電波の到達範囲（図３，図５中、二点鎖線ｂにて示す範囲）とが重なるので、保守端末１９は、ステップＳ１６において「ＹＥＳ」と判定する。
【００４９】
そして、保守端末１９は、基地局(D) １６に制御スロット再検索指令を送信する（ステップＳ１８）。制御スロット再検索指令を受信した基地局(D) １６は、これよりも以前に実行した制御スロットの割当を取消し（ステップＳ１９）、再度、ステップＳ１２〜Ｓ１５を実行する。そして、基地局(D) １６は、これよりも以前に制御スロットを割当てた無線スロットとは異なるスロット位置の無線スロットを制御スロットとして割当てる。
【００５０】
さて、ここで、基地局(D) １６がフレーム番号２，スロット番号４のスロット位置の無線スロットに代わってフレーム番号１０，スロット番号４のスロット位置の無線スロットに制御スロットを割当てたと仮定すると（図９参照）、保守端末１９は、基地局(D) １６がフレーム番号１０，スロット番号４のスロット位置の無線スロットに制御スロットを割当てたことを認識する（ステップＳ１５）。
【００５１】
そして、保守端末１９は、この場合には、ステップＳ１６において「ＮＯ」と判定し、基地局(D) １６がフレーム番号１０，スロット番号４のスロット位置の無線スロットに制御スロットを割当てたことを示す制御スロット割当情報を制御スロット割当表に追加して記述し、制御スロット割当表を図８（ｄ）に示すように更新する（ステップＳ１７）。
【００５２】
そして、これ以降、保守端末１９は、各基地局(A) １３〜基地局(F) １８のうちの例えば基地局(E) １７を５番目に起動する基地局として決定し、例えば基地局(F) １８を６番目に起動する基地局として決定し、上記した処理と同様の処理を実行する。
【００５３】
尚、上記した実施例では、本発明でいうブロック分割処理は、ブロック識別表作成処理におけるステップＳ１の処理に相当し、本発明でいうブロック識別処理は、ステップＳ３の処理に相当している。また、本発明でいう制御スロット割当処理は、基地局起動処理におけるステップＳ１２，Ｓ１３の処理に相当し、本発明でいう制御スロット位置検出処理は、ステップＳ１５の処理に相当し、本発明でいう制御スロット位置重複判定処理は、ステップＳ１６の処理に相当し、本発明でいう制御スロット再割当処理は、ステップＳ１８，Ｓ１９，Ｓ１２，Ｓ１３の処理に相当している。
【００５４】
ところで、以上は、各基地局(A) １３〜基地局(F) １８が、二次元的（平面的）に設置されている場合について説明したものであるが、例えば各基地局(A) １３〜基地局(F) １８が同一ビル内で、１階に基地局(A) １３および基地局(B) １４が設置され、２階に基地局(C) １５および基地局(D) １６が設置され、３階に基地局(E) １７および基地局(F) １８が設置されているというように、三次元的（立体的）に設置されている場合についても、これと同様である。その場合、各ブロックのアドレスは、２方向で二次元的に識別されることはなく、３方向で三次元的に識別されることになる。
【００５５】
また、ブロック識別表作成処理は、ＰＨＳ通信システムを構築する際、基地局を新設する際、あるいは基地局を移設する際に実行すれば良く、保守端末１９がブロック識別表を記憶していれば、基地局を起動する毎に必ずしも実行する必要はないものである。
【００５６】
このように本実施例によれば、各基地局(A) １３〜基地局(F) １８のうちのいずれかの基地局が制御スロットを割当てた無線スロットのスロット位置と、当該基地局が属するブロックあるいは当該基地局が属するブロックと隣接するブロックに属する他の基地局が制御スロットを割当てた無線スロットのスロット位置とが時系列的に重複している場合には、当該基地局が制御スロットを割当てることが可能な無線スロットを再度検索し、これよりも以前に制御スロットを割当てた無線スロットとは異なるスロット位置の無線スロットに制御スロットを割当てるようにした。
【００５７】
したがって、各基地局(A) １３〜基地局(F) １８が放射する電波の到達範囲の大きさに略等しい大きさの領域を１ブロックとして設定していることから、電波の到達範囲が重なる位置関係にある基地局同士については、それらが制御スロットを割当てる無線スロットのスロット位置が時系列的に重複することはなくなり、これにより、ＰＨＳ通信システムを運用するに際して、着信失敗、ハンドオーバ失敗あるいは通話切断などの種々の障害が発生する虞を減らすことができる。
【００５８】
また、ＰＨＳ通信システムとしては、例えば各基地局(A) １３〜基地局(F) １８が１つのフロアーに集中されて設置されているなど、二次元的（平面的）に構築されている場合であっても良く、また、各基地局(A) １３〜基地局(F) １８が複数のフロアーに分散されて設置されているなど、三次元的（立体的）に構築されている場合であっても良く、いずれの構成にも適用することができる。
【００５９】
本発明は、上記した実施例にのみ限定されるものでなく、次のように変形または拡張することができる。
無線通信システムとしては、事業所用のＰＨＳ通信システムに限らず、公衆用のＰＨＳ通信システムであっても良く、また、他の無線通信システムであっても良い。
【００６０】
基地局を起動する順序は、いずれの順序であっても良く、また、基地局を１局毎に起動する方法に限らず、基地局を同時に複数局毎に起動するようにしても良い。
保守端末がＬＡＮ（Local Area Network）を通じて基地局を接続する構成であっても良く、また、ＰＢＸがＰＨＳ交換機能を有する場合には、ＰＢＸが基地局を直接接続する構成であっても良い。
【図面の簡単な説明】
【図１】本発明の一実施例を示す基地局起動処理の制御内容を示すフローチャート
【図２】システム構成を概略的に示す図
【図３】基地局の物理的な設置状態を示す図
【図４】ブロック識別表作成処理の制御内容を示すフローチャート
【図５】ＰＨＳ通信システムの物理的な領域を仮想的に分割した状態を示す図
【図６】ブロック識別表を示す図
【図７】各基地局が制御スロットを割当てた無線スロットのスロット位置を示す図
【図８】制御スロット割当表を示す図
【図９】図７相当図
【図１０】従来例を示す図３相当図
【符号の説明】
図面中、１３〜１８は基地局(A) 〜基地局(F) （基地局）である。
【図１】
0003988326.tif 000002
【図２】
0003988326.tif 000003
【図３】
0003988326.tif 000004
【図４】
0003988326.tif 000005
【図５】
0003988326.tif 000006
【図６】
0003988326.tif 000007
【図７】
0003988326.tif 000008
【図８】
0003988326.tif 000009
【図９】
0003988326.tif 000010
【図１０】
0003988326.tif 000011